(57)【要約】      （修正有）【課題】デバイス上に極小領域の特徴部分を形成するための装置、方法、およびシステムを提供する。【解決手段】位相シフトマスクにおける点に対応する光強度の最小を形成するためのフォトリソグラフィー方法および装置が説明されている。マスクによって形成された光の位相シフトは、点の周りをらせん型に変化するので、点を通過するマスクの表面を横切る線に沿って測定された位相シフトは、その点において１８０°急増し、その点の周りを通過する線は、１３０°と２３０°の間の急増はなく、最も好ましくは、１００°と２６０°の間の急増はない。【選択図】図２
2010102354.tif 000002
【特許請求の範囲】
【請求項１】
表面および表面パターンを有する位相シフトマスク（基板）と、前記表面パターンにより
定められるパターンにおいて光の位相を変化させるように波長λおよび強度Ｉ0の光と相
互作用するための表面と、を有する装置において、前記表面と相互作用した後の光強度は
、少なくとも一部が前記表面パターンにより引き起こされた位相変化により定められ、か
つ、前記光が、前記表面が像平面上に像を形成するように、開口数（Ｎ．Ａ．）を有する
リソグラフィーシステムのレンズを通過すると、像平面に像を形成する光強度は、複数の
点の像を有し、各々の点の像は、強度Ｉｍｉｎの最小強度を有し、前記最小強度を取り囲
む環状領域の全体を通じて、Ｉｍｉｎより非常に大きい強度を有する環状領域によって取
り囲まれており、最小強度の全幅はλ／２・Ｎ．Ａ．である装置。
【請求項２】
多数の位相シフト領域を有し、前記多数の位相シフト領域の少なくとも一部が、少なくと
も１つの楔型領域境界を有している位相シフトマスク（ＰＳＭ）基板を有する装置におい
て、前記ＰＳＭ基板上の１番目の点を囲むように、共にはめ込まれているｎ個の位相シフ
ト領域のｎ個の楔型領域境界によって特徴部分が形成されており、前記ｎ個の位相シフト
領域は共に協働して、ｎ個の位相シフト領域と相互作用する波長λおよび強度Ｉ０の光に
対して光強度のパターンを生成し、かつ、光強度のパターンは、ＰＳＭ上の前記点に対応
する光強度において深い最小Ｉｍｉｎを有し、かつ、前記表面と相互作用した後の光強度
は、前記１番目の点を取り囲む環状領域において、Ｉｍｉｎより非常に大きい強度を有し
、さらに、ｎは、４以上であり、各々の前記ｎ個の位相シフト領域は異なる位相シフトを
有する、装置。
【請求項３】
多数の位相シフト領域が、表面が互いに平行である平らな領域である請求項２に記載の装
置。
【請求項４】
ｎ＝４であり、前記４つの位相シフト領域の位相シフトは前記１番目の点の周りを一方向
へ数えて約０°、９０°、１８０°、および２７０°であり、前記４つの位相シフト領域
は前記１番目の点に関してらせん階段の形を形成する請求項３に記載の装置。
【請求項５】
前記楔形領域境界は楔角を持ち、前記０°および１８０°位相シフト領域はほぼ同じ楔角
を持ち、前記９０°および２７０°位相シフト領域はほぼ同じ楔角を持つ請求項４に記載
の装置。
【請求項６】
２番目の点は前記１番目の点の近くに配置されており、前記１番目と２番目の点の周りの
前記らせん階段はそれぞれ異なった左右像を有し、各らせん階段の１段は同じ位相シフト
領域である請求項４に記載の装置。
【請求項７】
前記ＰＳＭ基板は、倍率Ｍ、および、開口数Ｎ．Ａ．を有するフォトリソグラフィーシス
テムに用いられるためにデザインされ、前記１番目の点と前記２番目の点とが２Ｍλ／Ｎ
．Ａ．未満の距離をおいて配置されている請求項６に記載の装置。
【請求項８】
表面および表面パターンを有する位相シフトマスク（基板）と、前記表面パターンにより
定められるパターンにおいて光の位相を変化させるように波長λおよび強度Ｉ0の光と相
互作用するための表面と、を有する装置において、前記表面と相互作用した後の光強度は
、少なくとも一部が前記表面パターンより引き起こされた位相変化により定められ、かつ
、前記表面上の複数の点は、各々の点をほぼ取り囲むように線が、この線に沿って位相変
化するように存在し、かつ、前記線に沿って１２０°を超えて急増するような位相変化を
せず、前記線の一端からもう一端へ少なくとも２４０°の位相変化をするように、各々の
点を取り囲むように表面パターンを有する、装置。
【請求項９】
ｍは１以上の整数であるとき、前記線の一端からもう一端への位相変化は、ほぼｍ×３６
０°である請求項８に記載の装置。
【発明の詳細な説明】
【技術分野】
【０００１】
本発明の技術分野は、種々の基板に、マスクの特徴部分(features)を、極度に高解像度
で描写するためのリソグラフィー用マスクの分野である。本発明の技術分野は、特に、マ
スクパターンの少なくとも一部がマスクの表面と相互作用した光の位相変化により定めら
れる位相シフトマスクの分野である。
【背景技術】
【０００２】
フォトリソグラフィー
本発明は、集積回路、磁性デバイス、マイクロマシン等のその他マイクロデバイスの製
造用のマイクロリソグラフィーの分野に関する。この分野において最終製品は、まず種々
のパターンが「レジスト」材料に形成され、個々のパターンはその後製品の属性を決める
段階的な方法で製造される。「レジスト」材料は一般的には高分子組成物であり、光やそ
の他の形態の放射線に対し感度を有する。パターンは、レジスト材料の領域ごとに異なる
放射線量で露光することによりレジストに形成される。ブライト(bright)な（高放射線量
）領域では、レジスト中で化学変化が起こり、ディム(dim)（低放射線）領域よりも、薬
浴中での溶解や、ガスやプラズマによるエッチング除去がされ易く（ポジ型レジストの場
合）なったり、され難く（ネガ型レジストの場合）なったりする。レジスト上への放射フ
ラックスが少なすぎる場合は、レジストは未露光であると言え、レジストが「現像」（す
なわち溶解またはエッチング）されると、一般的にポジ型レジストの未露光部は全部は溶
解除去されず、ネガ型レジストは一部のみが溶解除去される。露光用の放射フラックスが
十分な場合は、レジストの露光部および未露光部は、現像されると、一方の領域は全てが
溶解除去され、他方の領域はウエハ製造の次の工程用の保護膜として残存する。放射フラ
ックスが強すぎると、レジストは過露光され、露光された部分は ブルーム（bloom out）
し、線を超えてエッチングされる傾向にあり、例えば、適量な露光の場合よりも広くなる
。良いレジストとするためには、そのような過小露光および過剰露光フラックスの間に、
「マニュファクチャリング・ウィンドウ」（manufacturing window）が存在する。
【０００３】
パターニングされたレジストおよび工程
上記ブライトおよびディム領域は、通常はマスクやレチクルからレジストへ対応する特
徴部分(features)を転写する露光機を用いて形成される。マスクやレチクルは、石英やレ
ジストを露光するのに用いられる放射線に対して透過性のあるその他の材料の板であるマ
スク基板から形成され、クロムのような不透明な材料でコーティングされている。クロム
はパターン状にエッチング除去されてマスクが形成される。（これらには限定されないが
）紫外線やＸ線などの放射線を用いることができ、マスクの透明および不透明の領域が、
均一に照射された際に明暗のパターンを形成する。この技術において最も一般的に行なわ
れる方法では、平面の基板上のレジストフィルムに映写レンズがマスクパターンの像を形
成する。その像は、レジストパターンを形成する高放射線量および低放射線量領域を含む
。この工程にある形態の光が用いられた場合、それはフォトリソグラフィーと呼ばれる。
【０００４】
波面工学
レジストに形成されるパターンはマスクのパターンと同一ではなく、マイクロリソグラ
フィー工程における不完全さにも係わらず、最終的に製造されるデバイス用の所望のパタ
ーンを得る方法は、「波面工学」と呼ばれる。この目的で用いられる種々のデバイスの中
に、位相シフトマスク（ＰＳＭ）があり、干渉により所望の遮光領域を作り出す。位相シ
フトマスクは、本発明の発明者により、"Improving resolution in photolithography wi
th a phase shifting mask," M. D. Levenson, N. S. Viswanathan, and R. A. Simpson,
IEEE Trans. Electron Devices ED-29, 1828-1836(1982) と題される論文の中で最初に
公表された。その後、「位相シフトマスク」という文言を含む何百もの特許や何千もの論
文が発行された。位相シフトマスクは、従来のフォトリソグラフィーよりも細い線幅の特
徴部分の生産を可能にし、フォトレジストの低放射線量部分は高放射線量部分よりも大幅
に細い。しかし、上記のような細い線幅特徴部分のピッチはλ／Ｎ．Ａ．に制限され、こ
の場合のλはレジストを露光するのに用いられる光の波長であり、Ｎ．Ａ．はレジストを
露光するのに用いられる光学システムの開口数である。
【０００５】
現在、減衰（attenuated）ＰＳＭのような弱いＰＳＭ，および交互開口(alternating-a
perture)ＰＳＭのような強いＰＳＭの２種類のＰＳＭが用いられている。上記２つの差は
、弱いＰＳＭは明るい特徴部分の１種類のみを有するのに対し、強いＰＳＭは光位相のみ
が１８０°以下の範囲で異なること以外は同一の２種類の明るい特徴部分を有する。例え
ば、Ｍ．渋谷による日本国特許昭和６２−０５０８１１、M. D. Levenson 等によるIEEE 
Trans. Elec. Dev. ED-29, 1828-1836(1982)、 M. D. Levenson 等によるMicrolithograp
hy World 6-12(March/April 1992)を参照。典型的には、狭く「暗い」線は、マスクと相
互作用する光の位相を１８０°シフトさせるマスクの近接する２つの領域から位相シフト
が生じる位相シフト法により形成することができる。マスクの上記２つの領域は、マスク
上の直線である境界により区切られており、マスクがレジストに描画されると、２つの明
るい領域の間に、少し照射、またはまったく照射されていない極細の線ができる。そのよ
うな細い線は、例えば、半導体デバイスのゲートラインとして価値がある。しかし、その
ラインの長さは、そのラインの幅よりも大幅に大きい。
【０００６】
面積や直径ができるだけ小さい孔を有するレジストの特徴部分が求められている。その
ような孔は、例えば、半導体デバイスの下層にある導線やその他の部品との接点を形成す
るために用いられる。図１は、そのような孔を形成する方法である３つの関連技術によっ
て形成された光の強度のスケッチを示す図である。Ｔマスクは、通常のマスク基板に孔の
開いたクロムの覆いをしたものであり、曲線１０で表される強度を形成する。光パターン
の最小の直径は回折によって定まる。クロム中の孔が一定の点を超えて小さくなってもパ
ターンの直径は小さくならない。減衰ＰＳＭ（曲線１４）やリムシフト(rimshift)ＰＳＭ
（曲線１２）の技術はより小さい直径の明るい領域をもたらす。
【０００７】
米国特許第５，８０７，６４９号は、位相シフトマスクを用いてフォトレジストを露光
し、第２のマスクを用いて位相シフトマスクが残した望まない暗い領域を露光するダブル
露光システムを開示している。米国特許第５，６２０，８１６号は、クロムレス位相エッ
ジシフトマスクを用いて列および／またはコラム状に走る線を除くフォトレジストの全て
を露光し、その後特注生産したマスクを用いて線および／またはコラムの望まない部分を
露光するダブル露光システムを開示する。一度露光されたレジストに残る暗い線と垂直に
走る暗い線の同一または他のクロムレス位相エッジマスクを用いて露光した場合、最初の
露光において未露光だったレジストの一部の領域が露光され、極小の直径の未露光点の配
列ができる。これらの関連技術においては、一回の露光により極小の未露光フォトレジス
ト領域の形成方法は開示されていない。
【０００８】
ＰＳＭデザイン
従来型および位相シフトマスクに用いられるパターンを形成するための種々の自動電子
デザイン（ＥＤＡ）機器が知られている。それに加え、これらのパターンを改変するＯＰ
Ｃ機器は、露光システムの現状を説明する。位相シフトマスクの開口パターンは、少なく
とも交互開口ＰＳＭを用いた最初の露光と合わせてレジストフィルムの２回目の露光に従
来の遮蔽マスクを用いない場合は、最終的なサーキットパターンと厳密に対応している必
要がないことが知られている。このような２回目の露光は位相の衝突による変則性を消滅
させる。ニューメリカルテクノロジーズ株式会社は、特に米国特許第５，８５８，５８０
号において、一方の位相が０°であり、他方の位相が１８０°である、一対の小さい開口
(シフター)からなる交互開口ＰＳＭと共に、最終的な回路の特徴部分に幾何的に類似した
遮蔽マスクを用いたイン−フェーズ(In-Phase)デザイン・システムが、この開口の間で最
も細く暗い特徴部分(features)の輪郭を明瞭にすることを明示した。
【０００９】
本発明の発明者により発行された関連の米国特許は、それぞれ２００１年９月１１日お
よび２００１年６月２６日に発行された米国特許第６，２８７，７３２号および第６，２
５１，５４９号である。本発明の発明者による関連米国特許は、２００１年９月６日に米
国特許出願第０９／９４７，３３６号として出願された “Generic phase shift mask” 
と題された出願および、２００２年２月２５日に米国特許出願第１０／０８３，０４９号
として出願された "Photolithography method and apparatus" である。上記の参考文献
、米国特許および米国特許出願を参考としてここに組み入れる。
【発明の開示】
【発明が解決しようとする課題】
【００１０】
（発明の目的）
本発明は、デバイス上に極小領域の特徴部分を形成するための装置、方法、およびシス
テムを提供することを目的とする。
【００１１】
本発明は、デバイス上に極小領域の特徴部分を形成するための特徴部分を有する位相シ
フトマスク基板を提供することを目的とする。
本発明は、デバイス上に極小領域の特徴部分を形成するための特徴部分を有する位相シ
フトマスクを提供することを目的とする。
【００１２】
本発明は、デバイス上に極小領域の特徴部分を形成するための特徴部分を有する位相シ
フトマスク基板の製造方法を提供することを目的とする。
【００１３】
本発明は、デバイス上に極小領域の特徴部分を形成するための特徴部分を有するジェネ
リック位相シフトマスク基板の使用方法を提供することを目的とする。
本発明は、λがフォトリソグラフィックシステムによって用いられる光の波長であり、
ＮＡがフォトリソグラフィックシステムの開口数である場合に、λ／ＮＡ未満のピッチを
有する小領域特徴部分の２次元配列のフォトリソグラフィック露光を行う方法を提供する
ことを目的とする。
【課題を解決するための手段】
【００１４】
（発明の概要）
本発明は、デバイス上に極小領域特徴部分を形成するシステム、装置、および方法であ
る。位相シフトマスク基板は、そのマスク基板上のある領域が、ある一点の周りで位相シ
フト変化を有し、その点の周りの領域と相互作用する光は、その点に対応する一番目の領
域において、鋭く、かつ深い最小の光強度となるようにシフトされた光の位相を有し、一
番目の領域を取り囲む、環状の二番目の領域では、全体の環状の領域において最小光強度
よりもはるかに大きい光強度になるよう製造される。位相シフトは、その点を交差する線
に沿って測定した場合に、約１８０°位相が急にシフトし、二番目の環状の領域に対応す
るマスク上の領域を横切るいかなる他の線に沿って測定した場合には、１３０°未満また
は２３０°より大きい値でゆっくり又は急に位相がシフトするように、その点の周りで渦
巻き状（螺旋状）パターンで変化する。特に、最も好ましい態様は、表面から基板へエッ
チングされた、位相シフトを形成する各段の高さが１３０°未満、または１３０°より大
幅に少なく、最下段から１段目への位相シフトが約２３０°より大きい、１回転の階段状
の「段」を持つ基板を有する。
【発明を実施するための最良の形態】
【００１５】
（発明の詳細な説明）
図２は、本発明の好ましい態様を示す斜視図である。位相シフトマスク基板の平らな表
面２０は、その上にエッチングされた特徴部分２１を有する。特徴部分２１の円形縁２２
は、表面２０へのカッティングを示す。図は、中心線２５の周りを廻るらせん状のスロー
プ２３を示す。ランプは、位相シフトマスク基板のオリジナルの表面２０において、オリ
ジナルの表面２０において生じる位相シフトに対して、位相シフトが０°である線２４か
ら始まり、中心線２５の周りを時計回りに進む。ランプは、カットの深さに従って、位相
シフトマスク上に当たる光に位相シフトを与える。最初の表面２０に対して位相シフトが
９０°、１８０°、２７０°、および３６０°を図に印を付けた箇所に示す。位相シフト
は、中心線２５が位相シフトマスク基板の表面２１と交差する点に対応する点において光
が深い最小強度を有する、特徴部分２１に対応する光パターンを形成する。らせん状のス
ロープの１つの領域から他の領域への鋭い位相変化はないので、交差点を囲む領域には暗
い線は形成されず、らせん状スロープ２３の底２６とらせん状のスロープの頂部２４との
間の鋭い位相変化は３６０°であり、これも暗い線を形成しない。縁２２は、最初の表面
２０とスロープ２３との間の位相シフトが１８０°に近いとき、照度パターン中に暗い線
を形成する。得られた未露光フォトレジストは、後の工程において露光されてもよい。
【００１６】
図２の特徴部分は、全環状領域を通じて露光の最小の強度よりもはるかに大きい強度の
環状領域に囲まれた最小強度の孤立した領域を形成する。
【００１７】
図３は、図２の特徴部分によって形成された、中心線２５の周りを計測した極角θの関
数としての位相シフトを示す。好ましい態様においては、図２に示すスパイラルは、中心
線２５をほぼ取り囲む線２７の一端からもう一端へのほぼ７２０°の位相変化を起こし、
線２６を交差するときに、強度変化は、依然とても小さい。通常は、図２に示すスパイラ
ルは線２７の一端からもう一端への、ほぼｍ×３６０°（ｍは整数）の位相変化を起こし
、線２６を交差するときに、強度変化は、依然とても小さい。
【００１８】
図２および図３に示し説明するようなスパイラルパターンは、ＣＤレコーディングを複
製するのに似た方法または、表面特徴部分を形成する技術において知られている他の方法
によって位相シフトマスク基板に形成される。
【００１９】
図４は、表面が数々の６角形の平らで平行な領域に形成された位相シフトマスク基板の
平面図を示す。図４においては、０°、１２０°、及び２４０°の位相シフトを起こす３
レベルがある。６角形の３つの境界の各交点４０は、表面と相互作用する光の照射パター
ンにおいて深い最小値を形成する。図２のらせん状のスロープの代わりに、３つの段（踏
み板）を有するらせん階段が各点に形成される。隣接する点は２つの段を共有し、２つの
隣接する点のスパイラルの向き（時計回り、または反時計回りに下降する）は逆である。
図４に示される２つの隣接した位相シフト領域間の位相境界４２は、点４０に対応する理
論的な強度は０なのに対し、完全な干渉光の最大強度の約２５％の理論的強度を有する、
そのパターン状の暗い線を生じる。実際は、最小強度は約２％であり、それは光学システ
ムにおける散乱に起因する。このように、位相シフト領域間の境界４２に対応する暗い線
が、点４０に対応する領域に対して、暗い線は印刷されずに、暗い点が印刷されるように
十分に露光されることを確実にするために、レジストは過露光されなければならない。
【００２０】
光学システムにおける、光の点や線の解像力やフォーカシングのスペックは、最大強度
の半値全幅の形で提供されることが多い。本件の場合は、ある点における強度は最小Ｉｍ
ｉｎであり、最大強度Ｉｍａｘはその点を取り囲む環状領域において発生する。強度は、
環状領域を通して一様ではない。例えば、その点を中心に有する環状領域中に描かれた環
状線に沿っては、マスク上の位相変化に対応する環状線上の点において強度は、強度Ｉ´
ｍｉｎに下がる。最小強度の「全幅」のスペックは、いまだに最大強度または、定義され
た線に沿って測定された最小強度のどちらかが参考にされることがある。本明細書では、
最小強度の全幅は、線に沿って測定された最小強度の半分（Ｉ´ｍｉｎ／２）において測
定された最小強度の全幅として定義されている。本発明の最小強度の全幅はλ／２Ｎ．Ａ
．未満であることが好ましい。
【００２１】
図５は、点４０の周りで測定された極角θの関数としての、点４０の周囲に生じた位相
シフトを示す。位相シフトが、点４０をほぼ取り囲む線に沿って測定された場合、線に沿
った距離に対してプロットすると、図５と類似するように見える。図２に示されたスパイ
ラルは、線２７の一端からもう一端へのほぼ７２０°の位相変化をし、線２６と交差する
際の強度変化はとても小さい。
【００２２】
図６（ａ）は、位相シフトマスク基板が数々の正方形の平らで平行な領域に形成されて
いる本発明の最も好ましい態様を示す。図６（ａ）においては、０°、９０°、１８０°
、および２７０°の位相シフトを起こす４つのレベルがある。４つの正方形の角の交点は
、フォトレジストに投影された強度を相殺する位相シフトを起こし、正方形の角に対応す
る点における強度の深い最小を生じる結果となる。境界６２における位相シフトはたった
９０°であり、一方、１２０°の位相シフトが図４の境界４２において形成されるので、
境界６２に対応する線における強度は、図４の線の強度の２５％よりも大幅に大きい。ま
た、図６（ａ）は、図６（ａ）に示された正方形の角を覆う、光学的に不透明な領域６０
も示す。不透明な領域は、図６（ａ）のマスク基板の正方形の角に対応するレジストの領
域における光の強度を減少させる。隣接する不透明な領域６０は、スパイラル階段の２段
を共有し、隣接する領域６０の各対のスパイラルの向きは、ここでも逆である。
【００２３】
図６（ｂ）は、領域６０の周りのスパイラル階段の４段階を示す斜視図である。
【００２４】
図７は、不透明な領域６０の中心の周りで測定された極角θの関数としての、不透明な
領域６０に関して形成された位相シフトを示す。
【００２５】
図８は、図６のマスクによって形成された光の強度プロファイルの計算結果を示す。水
平または垂直に走る暗い線は人為的に生成したもので無視されるべきである。図６の領域
６０に対応する最小８０は、強度が最小８０の強度よりも実質的に大きい環状領域８２に
囲まれている。
【００２６】
図９は、４つの異なる位相シフト段階を利用した、６角形の格子上に最小強度を形成す
るために用いられるパターンの他の態様を示す。不透明な領域９０は、レジスト上に所望
の最小強度に対応する、位相シフトマスク基板の６角形の格子点を示す。交差点９２に対
応する領域も最小強度を有し、所望の未露光レジストの６角形のパターンを形成するため
に、２番目のマスクを用いて２回目の露光がされなければならない。
【００２７】
図１０は、図９の態様の不透明な領域９０の中心の周りで測定された極角θの関数とし
ての、点４０の周囲に生じた位相シフトを示す。
【００２８】
上記に開示されたことを踏まえた、本発明の多数の改良や態様が可能なことは明らかで
ある。そのため、添付された特許請求項の範囲の範囲内において、具体的に述べられたも
のとは別の方法で本発明を実施することができることを理解されなければならない。
【図面の簡単な説明】
【００２９】
【図１】図１は、従来のフォトリソグラフィーマスクによって形成された光の強度を示す。
【図２】図２は好ましい形態を示す斜視図である。
【図３】図３は、極角θの関数として、図２の位相シフトを示す。
【図４】図４は、位相シフトマスク基板を示す平面図である。
【図５】図５は、極角θの関数として、ある点に関して形成された位相シフトを示す。
【図６】図６Ａは、本発明の最も好ましい態様を示す。
【００３０】
図６Ｂは、領域６０の周りのスパイラル階段の４段階を示す斜視図である。
【図７】図７は、不透明な領域６０に関して形成された位相シフトを示す。
【図８】図８は、強度プロファイルの計算結果を示す。
【図９】図９は、他のパターン態様を示す。
【図１０】図１０は、不透明な領域９０に関して形成された位相シフトを示す。
【図１】
2010102354.tif 000003
【図２】
2010102354.tif 000004
【図３】
2010102354.tif 000005
【図４】
2010102354.tif 000006
【図５】
2010102354.tif 000007
【図６】
2010102354.tif 000008
【図７】
2010102354.tif 000009
【図８】
2010102354.tif 000010
【図９】
2010102354.tif 000011
【図１０】
2010102354.tif 000012
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
多数の位相シフト領域を有し、前記多数の位相シフト領域の少なくとも一部が、少なくとも１つの楔型領域境界を有している位相シフトマスク（ＰＳＭ）基板を有する装置において、
前記ＰＳＭ基板上の１番目の点を囲むように、共にはめ込まれているｎ個の位相シフト領域のｎ個の楔型領域境界によって特徴部分が形成されており、
前記１番目の点を覆う不透明領域が形成されており、
前記ｎ個の位相シフト領域は共に協働して、ｎ個の位相シフト領域と相互作用する波長λおよび強度Ｉ０の光に対して光強度のパターンを生成し、
光強度のパターンは、ＰＳＭ上の前記点に対応する光強度において深い最小Ｉｍｉｎを有し、かつ、前記表面と相互作用した後の光強度は、前記１番目の点を取り囲む環状領域において、Ｉｍｉｎより非常に大きな強度を有し、
ｎは４以上であり、
各々の前記ｎ個の位相シフト領域は異なる位相シフトを有する、装置。
【請求項２】
ｎ＝４であり、前記４つの位相シフト領域の位相シフトは前記１番目の点の周りを一方向へ数えて約０°、９０°、１８０°、および２７０°であり、前記４つの位相シフト領域は前記１番目の点に関してらせん階段の形を形成する請求項1に記載の装置。
【請求項３】
前記楔形領域境界は楔角を持ち、前記０°および１８０°位相シフト領域はほぼ同じ楔角を持ち、前記９０°および２７０°位相シフト領域はほぼ同じ楔角を持つ請求項２に記載の装置。
【請求項４】
２番目の点は前記１番目の点の近くに配置されており、前記１番目と２番目の点の周りの前記らせん階段はそれぞれ異なった左右像を有し、各らせん階段の１段は同じ位相シフト領域である請求項２または請求項３に記載の装置。
【請求項５】
多数の位相シフト領域を有し、前記多数の位相シフト領域の少なくとも一部が、少なくとも１つの楔型領域境界を有している位相シフトマスク（ＰＳＭ）基板を有する装置において、
前記ＰＳＭ基板上の１番目の点を囲むように、共にはめ込まれている３個の位相シフト領域の３個の楔型領域境界によって特徴部分が形成されており、
前記３個の位相シフト領域は共に協働して、３個の位相シフト領域と相互作用する波長λおよび強度Ｉ０の光に対して光強度のパターンを生成し、
光強度のパターンは、ＰＳＭ上の前記点に対応する光強度において深い最小Ｉｍｉｎを有し、かつ、前記表面と相互作用した後の光強度は、前記１番目の点を取り囲む環状領域において、Ｉｍｉｎより非常に大きい強度を有し、
各々の前記３個の位相シフト領域は異なる位相シフトを有する、装置。
【請求項６】
前記３つの位相シフト領域の位相シフトは前記１番目の点の周りを一方向へ数えて約０°、１２０°、および２４０°であり、前記３つの位相シフト領域は前記１番目の点に関してらせん階段の形を形成する請求項５に記載の装置。
【請求項７】
前記１番目の点と、前記１番目の点に隣接する２番目の点とを結ぶ辺は、２つの前記楔型領域境界を共有する請求項５または請求項６に記載の装置。
【請求項８】
多数の位相シフト領域を有し、前記多数の位相シフト領域の少なくとも一部が、少なくとも１つの楔型領域境界を有している位相シフトマスク（ＰＳＭ）基板を有する装置において、
前記ＰＳＭ基板上の１番目の点を囲むように、共にはめ込まれている４個の位相シフト領域のｎ個の楔型領域境界によって特徴部分が形成されており、
前記４個の位相シフト領域は共に協働して、４個の位相シフト領域と相互作用する波長λおよび強度Ｉ０の光に対して光強度のパターンを生成し、
光強度のパターンは、ＰＳＭ上の前記点に対応する光強度において深い最小Ｉｍｉｎを有し、かつ、前記表面と相互作用した後の光強度は、前記１番目の点を取り囲む環状領域において、Ｉｍｉｎより非常に大きい強度を有し、
各々の前記４個の位相シフト領域は異なる位相シフトを有し、
前記４つの位相シフト領域の位相シフトは前記１番目の点の周りを一方向へ数えて約０°、９０°、１８０°、および２７０°であり、前記４つの位相シフト領域は前記１番目の点に関してらせん階段の形を形成し、
前記楔形領域境界は楔角を持ち、前記０°および１８０°位相シフト領域はほぼ同じ楔角を持ち、前記９０°および２７０°位相シフト領域はほぼ同じ楔角を持ち、
前記０°および１８０°位相シフト領域の楔角と、前記９０°および２７０°位相シフト領域の楔角とが異なることを特徴とする、装置。
【請求項９】
２番目の点は前記１番目の点の近くに配置されており、前記１番目と２番目の点の周りの前記らせん階段はそれぞれ異なった左右像を有し、各らせん階段の１段は同じ位相シフト領域である請求項８に記載の装置。
【請求項１０】
多数の位相シフト領域が、表面が互いに平行である平らな領域である請求項１から請求項９のいずれかの請求項に記載の装置。